(57)【要約】【課題】トルクコンバータ全体を大型化することなくダイナミックダンパ装置の慣性量を大きくし、効果的に回転速度変動を抑える。【解決手段】この装置は、ダンパプレート７１と、１対のイナーシャリング７２と、第１蓋部材７３と、第２蓋部材７４と、複数のコイルスプリング７５と、を備えている。ダンパプレート７１は中間部材５４に設けられている。第１蓋部材７３は、軸方向においてダンパプレート７１のフロントカバー側にダンパプレート７１と相対回転自在に配置され、第１内径を有する。第２蓋部材７４は、ダンパプレート７１を挟んで第１蓋部材７３に対向し、かつダンパプレート７１と相対回転自在に配置され、第１内径より大きい第２内径を有する。複数のコイルスプリング７５はダンパプレート７１と１対のイナーシャリング７２及び第１及び第２蓋部材７３，７４とを回転方向に弾性的に連結する。【選択図】図１
2015098931.tif 000002
【特許請求の範囲】
【請求項１】
エンジン側の部材に連結されるフロントカバーとトルクコンバータ本体との間に配置されたロックアップ装置のダイナミックダンパ装置であって、
前記ロックアップ装置の回転部材に設けられたダンパプレートと、
軸方向において前記ダンパプレートの前記フロントカバー側に前記ダンパプレートと相対回転自在に配置され、第１内径を有する環状の第１プレートと、
前記ダンパプレートを挟んで前記第１プレートに対向し、かつ前記ダンパプレートと相対回転自在に配置され、前記第１内径より大きい第２内径を有する環状の第２プレートと、
前記ダンパプレートと前記第１及び第２プレートとを回転方向に弾性的に連結する複数の弾性部材と、
を備えたダイナミックダンパ装置。
【請求項２】
前記第２プレートは前記第１プレートの厚みよりも厚い、請求項１に記載のダイナミックダンパ装置。
【請求項３】
前記ダンパプレートと前記第１プレートとの間に配置された第１イナーシャリングと、
前記ダンパプレートと前記第２プレートとの間に配置された第２イナーシャリングと、
をさらに備えた、請求項１又は２に記載のダイナミックダンパ装置。
【請求項４】
前記第１イナーシャリングと前記第２イナーシャリングとは同一形状である、請求項３に記載のダイナミックダンパ装置。
【請求項５】
前記ダンパプレートは円周方向に延びる複数の第１開口を有し、
前記第１及び第２イナーシャリングは前記第１開口と対向する位置に円周方向に延びる第２開口を有し、
前記複数の弾性部材は前記第１開口及び前記第２開口に収容されている、
請求項３又は４に記載のダイナミックダンパ装置。
【請求項６】
前記第１プレートは前記第１イナーシャリングの前記第２開口を塞ぎ、前記第２プレートは前記第２イナーシャリングの前記第２開口を塞ぐように配置されている、請求項３から５のいずれかに記載のトルクコンバータのロックアップ装置。
【請求項７】
前記第１及び第２プレートの少なくとも一方は、外周部に他の部分より軸方向に突出した突出部を有する、請求項１から６のいずれかに記載のダイナミックダンパ装置。
【請求項８】
エンジン側の部材に連結されるフロントカバーとトルクコンバータ本体との間に配置され、前記フロントカバーからのトルクを前記トルクコンバータ本体のタービンに直接伝達するためのロックアップ装置であって、
前記フロントカバーからのトルクを出力側に伝達するクラッチ部と、
前記クラッチ部と相対回転自在であり、前記タービンに連結される出力回転部材と、
前記クラッチ部と前記出力側回転部材とを回転方向に弾性的に連結するダンパ機構と、
請求項１から７のいずれかに記載のダイナミックダンパ装置と、
を備えた、
トルクコンバータのロックアップ装置。
【請求項９】
エンジン側の部材に連結されるフロントカバーとトルクコンバータ本体との間に配置され、前記フロントカバーからのトルクを前記トルクコンバータ本体のタービンに直接伝達するためのロックアップ装置であって、
前記フロントカバーからのトルクを出力側に伝達するクラッチ部と、
前記クラッチ部と相対回転自在であり、前記タービンに連結される出力回転部材と、
複数の外周側弾性部材と、前記外周側弾性部材の内周側に配置された複数の内周側弾性部材と、前記外周側弾性部材と前記内周側弾性部材とを連結する中間部材と、を有し、前記クラッチ部と前記出力側回転部材とを回転方向に弾性的に連結するダンパ機構と、
前記中間部材に設けられたイナーシャ部材を有し、回転速度変動を減衰するダイナミックダンパ装置と、
を備え、
前記イナーシャ部材の慣性量は前記中間部材の慣性量の０．５倍以上４．０倍以下である、
トルクコンバータのロックアップ装置。
【請求項１０】
エンジン側の部材に連結されるフロントカバーとトルクコンバータ本体との間に配置され、前記フロントカバーからのトルクを前記トルクコンバータ本体のタービンに直接伝達するためのロックアップ装置であって、
前記フロントカバーからのトルクを出力側に伝達するクラッチ部と、
前記クラッチ部と相対回転自在であり、前記タービンに連結される出力回転部材と、
前記クラッチ部と前記出力側回転部材とを回転方向に弾性的に連結するダンパ機構と、
前記クラッチ部から前記出力回転部材に至る動力伝達経路を構成する回転部材に設けられたイナーシャ部材を有し、回転速度変動を減衰するダイナミックダンパ装置と、
を備え、
前記イナーシャ部材の慣性量は前記出力回転部材の慣性量の０．５倍以上４．０倍以下である、
トルクコンバータのロックアップ装置。
【発明の詳細な説明】
【技術分野】
【０００１】
本発明は、ロックアップ装置、特に、エンジン側の部材に連結されるフロントカバーとトルクコンバータ本体との間に配置され、フロントカバーからのトルクをトルクコンバータ本体のタービンに直接伝達するためのトルクコンバータのロックアップ装置に関する。
【背景技術】
【０００２】
トルクコンバータにおいては、燃費低減のためにロックアップ装置が設けられている。ロックアップ装置は、タービンとフロントカバーとの間に配置されており、フロントカバーとタービンとを機械的に連結して両者の間でトルクを直接伝達するものである。
【０００３】
ロックアップ装置は、一般に、クラッチ部と、出力側の回転部材と、これらの間に設けられたダンパ機構と、を有している。クラッチ部は、ピストンに固定された摩擦部材や、複数のクラッチプレート及びこれらを押圧するピストンから構成されている。そして、油圧の作用によってクラッチ部が作動し、フロントカバーからダンパ機構側にトルクが伝達される。また、ダンパ機構は複数のトーションスプリングを有しており、フロントカバーに入力されたトルクは、クラッチ部から複数のトーションスプリングを介して出力側の回転部材に伝達され、さらにタービンに伝達される。
【０００４】
また、特許文献１には、出力側の回転部材にイナーシャ部材を装着することにより、エンジンの回転速度変動を抑えるようにしたロックアップ装置が示されている。この特許文献１に示されたロックアップ装置は、タービンに固定された回転部材に相対回転可能にイナーシャ部材が装着されている。また、回転部材とイナーシャ部材との間には複数のコイルスプリングが設けられている。
【０００５】
この特許文献１のロックアップ装置では、回転部材にコイルスプリングを介してイナーシャ部材が連結されているため、イナーシャ部材及びコイルスプリングがダイナミックダンパとして機能し、これらによってタービンの回転速度変動が減衰される。
【先行技術文献】
【特許文献】
【０００６】
【特許文献１】特開２００９−２９３６７１号公報
【発明の概要】
【発明が解決しようとする課題】
【０００７】
出力側の回転速度変動を抑えるためには、ダイナミックダンパ装置の慣性量を大きくする必要がある。そこで、ダイナミックダンパ装置を構成する部材を外周側に集中的に配置し、慣性量を大きくすることが望ましい。
【０００８】
しかし、ダイナミックダンパ装置の構成部材を外周側に配置すると、トルクコンバータ全体の径方向寸法が大きくなる。また、特に、ダイナミックダンパ装置の慣性量を大きくしつつダイナミックダンパ装置を構成する部材とタービンとの干渉を避けるためには、トルクコンバータ全体の軸方向寸法が大きくなる。
【０００９】
そこで、トルクコンバータ全体をコンパクトにしつつ、ダイナミックダンパ装置の慣性量を大きくすることが望まれる。
【００１０】
本発明の課題は、トルクコンバータ全体を大型化することなくダイナミックダンパ装置の慣性量を大きくし、より効果的に回転速度変動を抑えることにある。
【課題を解決するための手段】
【００１１】
本発明の第１側面に係るダイナミックダンパ装置は、エンジン側の部材に連結されるフロントカバーとトルクコンバータ本体との間に配置されたロックアップ装置のダイナミックダンパ装置である。このダイナミックダンパ装置は、ダンパプレートと、環状の第１プレートと、環状の第２プレートと、複数の弾性部材と、を備えている。ダンパプレートはロックアップ装置の回転部材に設けられている。第１プレートは、軸方向においてダンパプレートのフロントカバー側にダンパプレートと相対回転自在に配置され、第１内径を有する。第２プレートは、ダンパプレートを挟んで第１プレートに対向し、かつダンパプレートと相対回転自在に配置され、第１内径より大きい第２内径を有する。複数の弾性部材はダンパプレートと第１及び第２プレートとを回転方向に弾性的に連結する。
【００１２】
ここで、ロックアップ装置のクラッチがオン（動力伝達状態）の場合は、フロントカバーからのトルクはトルクコンバータのタービンに直接伝達される。このとき、ダイナミックダンパ装置によって回転速度変動が抑えられる。
【００１３】
ここでは、フロントカバー側の第１プレートは小さい第１内径を有し、トルクコンバータ本体側の第２プレートは大きい内径を有する。このため、第１プレートによって慣性量を大きくすることができる。しかも第２プレートとトルクコンバータ本体（特にタービン）との干渉を避けることができるので、軸方向の小型化を図ることができる。
【００１４】
本発明の第２側面に係るダイナミックダンパ装置では、第２プレートは第１プレートの厚みよりも厚い。
【００１５】
ここでは、第２プレートは内径が大きいが厚みが厚く形成されているので、慣性量が大きくなる。
【００１６】
本発明の第３側面に係るダイナミックダンパ装置では、ダンパプレートと第１プレートとの間に配置された第１イナーシャリングと、ダンパプレートと第２プレートとの間に配置された第２イナーシャリングと、をさらに備えている。
【００１７】
本発明の第４側面に係るダイナミックダンパ装置では、第１イナーシャリングと第２イナーシャリングとは同一形状である。
【００１８】
本発明の第５側面に係るダイナミックダンパ装置では、ダンパプレートは円周方向に延びる複数の第１開口を有し、第１及び第２イナーシャリングは第１開口と対向する位置に円周方向に延びる第２開口を有している。そして、複数の弾性部材は第１開口及び第２開口に収容されている。
【００１９】
本発明の第６側面に係るダイナミックダンパ装置では、第１プレートは第１イナーシャリングの第２開口を塞ぎ、第２プレートは第２イナーシャリングの第２開口を塞ぐように配置されている。
【００２０】
本発明の第７側面に係るダイナミックダンパ装置では、第１及び第２プレートの少なくとも一方は、外周部に他の部分より軸方向に突出した突出部を有する。
【００２１】
第１及び第２プレートの少なくとも一方に、軸方向に突出する突出部を設けることによって、装置の慣性量を大きくすることができる。
【００２２】
本発明の第８側面に係るトルクコンバータのロックアップ装置は、エンジン側の部材に連結されるフロントカバーとトルクコンバータ本体との間に配置され、フロントカバーからのトルクをトルクコンバータ本体のタービンに直接伝達するための装置である。このロックアップ装置は、フロントカバーからのトルクを出力側に伝達するクラッチ部と、クラッチ部と相対回転自在でありタービンに連結される出力回転部材と、クラッチ部と出力側回転部材とを回転方向に弾性的に連結するダンパ機構と、第１側面から第７側面のいずれかのダイナミックダンパ装置と、を備えている。
【００２３】
本発明の第９側面に係るトルクコンバータのロックアップ装置は、エンジン側の部材に連結されるフロントカバーとトルクコンバータ本体との間に配置され、フロントカバーからのトルクをトルクコンバータ本体のタービンに直接伝達するための装置である。このロックアップ装置は、クラッチ部と、出力回転部材と、ダンパ機構と、ダイナミックダンパ装置と、を備えている。クラッチ部はフロントカバーからのトルクを出力側に伝達する。出力回転部材は、クラッチ部と相対回転自在であり、タービンに連結される。ダンパ機構は、複数の外周側弾性部材と、外周側弾性部材の内周側に配置された複数の内周側弾性部材と、外周側弾性部材と内周側弾性部材とを連結する中間部材と、を有し、クラッチ部と出力側回転部材とを回転方向に弾性的に連結する。ダイナミックダンパ装置は、中間部材に設けられたイナーシャ部材を有し、回転速度変動を減衰する。そして、イナーシャ部材の慣性量は中間部材の慣性量の０．５倍以上４．０倍以下である。
【００２４】
本発明の第１０側面に係るトルクコンバータのロックアップ装置は、エンジン側の部材に連結されるフロントカバーとトルクコンバータ本体との間に配置され、フロントカバーからのトルクをトルクコンバータ本体のタービンに直接伝達するための装置である。このロックアップ装置は、クラッチ部と、出力回転部材と、ダンパ機構と、ダイナミックダンパ装置と、を備えている。クラッチ部はフロントカバーからのトルクを出力側に伝達する。出力回転部材は、クラッチ部と相対回転自在であり、タービンに連結される。ダンパ機構はクラッチ部と出力側回転部材とを回転方向に弾性的に連結する。ダイナミックダンパ装置は、クラッチ部から出力回転部材に至る動力伝達経路を構成する回転部材に設けられたイナーシャ部材を有し、回転速度変動を減衰する。そして、イナーシャ部材の慣性量は出力回転部材の慣性量の０．５倍以上４．０倍以下である。
【発明の効果】
【００２５】
以上のような本発明では、トルクコンバータ全体を大型化することなくダイナミックダンパ装置の慣性量を大きくし、回転速度変動を抑えることができる。
【図面の簡単な説明】
【００２６】
【図１】本発明の一実施形態によるロックアップ装置を備えたトルクコンバータの断面構成図。
【図２】クラッチ部、ダンパ機構、及びダイナミックダンパ装置を抽出して示す図。
【図３】クラッチ部の断面図。
【図４】ダンパ機構及びダイナミックダンパ装置の断面図。
【図５】外周側トーションスプリング及び入力プレートの正面部分図。
【図６】ダンパ機構及びダイナミックダンパ装置の断面図。
【図７】サポートプレートの正面部分図。
【図８】ダンパ機構及びダイナミックダンパ装置の断面図。
【図９】ダンパ機構及びダイナミックダンパ装置の正面部分図。
【図１０】イナーシャリングの正面部分図。
【図１１】ダイナミックダンパ装置の拡大図。
【図１２】ロックアップ装置のねじり特性線図。
【図１３】エンジン回転数と回転速度変動の特性図。
【図１４】蓋部材の他の実施形態を示す図１１に対応する図。
【発明を実施するための形態】
【００２７】
図１は、本発明の一実施形態によるロックアップ装置を有するトルクコンバータ１の断面部分図である。図１の左側にはエンジン（図示せず）が配置され、図の右側にトランスミッション（図示せず）が配置されている。なお、図１に示すＯ−Ｏがトルクコンバータ及びロックアップ装置の回転軸線である。
【００２８】
［トルクコンバータ１の全体構成］
トルクコンバータ１は、エンジン側のクランクシャフト（図示せず）からトランスミッションの入力シャフトにトルクを伝達するための装置であり、入力側の部材に固定されるフロントカバー２と、３種の羽根車（インペラ３、タービン４、ステータ５）からなるトルクコンバータ本体６と、ロックアップ装置７と、から構成されている。
【００２９】
フロントカバー２は、円板状の部材であり、その外周部にはトランスミッション側に突出する外周筒状部１０が形成されている。インペラ３は、フロントカバー２の外周筒状部１０に溶接により固定されたインペラシェル１２と、その内側に固定された複数のインペラブレード１３と、インペラシェル１２の内周側に設けられた筒状のインペラハブ１４と、から構成されている。
【００３０】
タービン４は流体室内でインペラ３に対向して配置されている。タービン４は、タービンシェル１５と、タービンシェル１５に固定された複数のタービンブレード１６と、タービンシェル１５の内周側に固定されたタービンハブ１７と、から構成されている。タービンハブ１７は外周側に延びるフランジ１７ａと、軸方向においてフロントカバー２側に延びる筒状部１７ｂと、を有している。フランジ１７ａにタービンシェル１５の内周部が複数のリベット１８によって固定されている。また、タービンハブ１７の内周部には、図示しないトランスミッションの入力シャフトがスプライン係合している。なお、筒状部１７ｂのエンジン側先端面とフロントカバー２との間には、スラストワッシャ１９が配置されている。
【００３１】
ステータ５は、インペラ３とタービン４の内周部間に配置され、タービン４からインペラ３へと戻る作動油を整流するための機構である。ステータ５は主に、ステータキャリア２０と、ステータキャリア２０の外周面に設けられた複数のステータブレード２１と、ステータブレード２１の外周端に設けられた環状のステータコア２２と、を有している。ステータキャリア２０は、ワンウェイクラッチ２３を介して図示しない固定シャフトに支持されている。なお、ステータキャリア２０の軸方向両側には、スラストベアリング２４，２５が設けられている。
【００３２】
以上のようなトルクコンバータ本体６においては、インペラ３、タービン４、及びステータ５の各ブレード１３，１６，２１によって形成される作動油の環状流路（トーラスＴ）が形成されている。
【００３３】
［ロックアップ装置７］
図２に、図１のロックアップ装置７を抽出して示している。ロックアップ装置７は、フロントカバー２からタービン４に動力を直接伝達するものである。ロックアップ装置７は、フロントカバー２とタービン４との間に配置されたクラッチ部２８と、クラッチ部２８からのトルクをタービン４に伝達するダンパ機構２９と、ハブフランジ３０（出力回転部材）と、ダイナミックダンパ装置３１と、を備えている。
【００３４】
＜クラッチ部２８＞
クラッチ部２８は、油圧作動式の多板型であり、フロントカバー２からのトルクをダンパ機構２９に伝達し、あるいはフロントカバー２とダンパ機構２９との間のトルク伝達を遮断する。このクラッチ部２８は、図２に示すように、クラッチ入力部材３５及びクラッチ出力部材３６と、それぞれ２枚の第１及び第２クラッチプレート３７，３８と、ピストン４０と、を有している。
【００３５】
−クラッチ入力部材３５−
クラッチ入力部材３５は、環状に形成されており、円板状の固定部３５ａと、固定部３５ａの外周端からトランスミッション側に延びて形成された外筒状部３５ｂと、固定部３５ａの内周端からトランスミッション側に延びて形成された内筒状部３５ｃと、を有している。固定部３５ａはフロントカバー２のトランスミッション側の面に溶接により固定されている。外筒状部３５ｂの内周面には、軸方向に延びる複数の凹凸部が円周方向に所定の間隔で形成されている。
【００３６】
−クラッチ出力部材３６−
クラッチ出力部材３６は、環状に形成されており、円板状に形成された円板部３６ａと、円板部３６ａの外周端部からエンジン側に延びて形成された筒状部３６ｂと、を有している。円板部３６ａの内周部は、ダンパ機構２９を構成する部材に、リベット４１により固定されている。円板部３６ａの外周部は、外周側に行くにしたがってフロントカバー２に近づくように傾斜している。筒状部３６ｂには、軸方向に延びる複数の溝が円周方向に所定の間隔で形成されている。
【００３７】
−第１及び第２クラッチプレート３７，３８−
第１クラッチプレート３７は環状に形成されている。第１クラッチプレート３７の外周端には、クラッチ入力部材３５の外筒状部３５ｂの凹凸部に係合する複数の歯が形成されている。このような構成により、第１クラッチプレート３７は、クラッチ入力部材３５に対して軸方向に移動自在かつ相対回転不能である。
【００３８】
第２クラッチプレート３８は環状に形成されている。第２クラッチプレート３８の内周端には、クラッチ出力部材３６の筒状部３６ｂの複数の溝に係合する複数の歯が形成されている。このような構成により、第２クラッチプレート３８は、クラッチ出力部材３６に対して軸方向に移動自在かつ相対回転不能である。また、第２クラッチプレート３８の両面には、環状の摩擦部材が固定されている。
【００３９】
第２クラッチプレート３８のさらにトランスミッション側には、環状のバックアップリング４３が設けられている。バックアップリング４３の外周端には、クラッチ入力部材３５の外筒状部３５ｂの凹凸部に係合する複数の歯が形成されている。このような構成により、バックアップリング４３は、クラッチ入力部材３５に対して軸方向に移動自在かつ相対回転不能である。なお、バックアップリング４３のタービン４側には、バックアップリング４３のタービン４側への移動を規制するためのスナップリング４４が設けられている。スナップリング４４は、クラッチ入力部材３５の外筒状部３５ｂに形成された環状の溝に係合している。
【００４０】
−ピストン４０−
図３に、ピストン４０に関連する部分を拡大して示している。ピストン４０は、クラッチ入力部材３５の内周側で、フロントカバー２と第１及び第２クラッチプレート３７，３８との間に配置されている。ピストン４０は、環状に形成されており、外周面がクラッチ入力部材３５の内筒状部３５ｃの内周面に摺動自在に支持されている。ピストン４０の外周面にはシール部材４６が設けられ、ピストン４０とクラッチ入力部材３５との間がシールされている。また、ピストン４０の内周端部には、トランスミッション側に延びる筒状部４０ａが形成されている。このピストン４０の筒状部４０ａの内周面が、ピストン支持部材４８に摺動自在に支持されている。
【００４１】
ピストン支持部材４８は、図１〜図３に示すように、環状に形成された円板状の部材である。ピストン支持部材４８には、円周方向の複数箇所にエンジン側に突出する突起部４８ａが形成されており、この突起部４８ａが溶接によりフロントカバー２に固定されている。なお、図１〜図３では、ピストン支持部材４８のフロントカバー２への固定部分を示しているが、ピストン支持部材４８においてフロントカバー２に固定されていない部分は、径方向に貫通する溝４８ｂ（図３に破線で示している）が形成されている。この溝４８ｂを介して、ピストン４０とフロントカバー２との間に作動油が内周側から供給される。
【００４２】
ピストン支持部材４８の外周端部にはエンジン側に延びる外筒状部４８ｃが形成され、内周端部にはトランスミッション側に延びる内筒状部４８ｄが形成されている。外筒状部４８ｃは、前述のように、ピストン４０の筒状部４０ａを支持する部分であり、シール部材４９が設けられている。このシール部材４９により、ピストン４０とピストン支持部材４８との間がシールされている。また、内筒状部４８ｄは、タービンハブ１７の筒状部１７ｂの外周面に摺動自在に支持されている。そして、タービンハブ１７の筒状部１７ｂの外周面にはシール部材５０が設けられている。これにより、ピストン支持部材４８とタービンハブ１７との間がシールされている。
【００４３】
以上のような構成により、ピストン４０の背面、すなわちピストン４０とフロントカバー２との間には、作動油の供給路を除いて、他の空間から独立した（密閉された）油圧室Ｐが形成されている。
【００４４】
＜ダンパ機構２９＞
図４及び図５に示すように、ダンパ機構２９は、クラッチ部２８のクラッチ出力部材３６が固定された入力プレート５２と、複数の外周側トーションスプリング５３と、中間部材５４と、内周側トーションスプリング５５と、１対のサポートプレート５６と、を有している。なお、図４は、ロックアップ装置７のうちのダンパ機構２９及びそれに関連する構成のみを抽出して示したものである。また、図５は入力プレート５２及び外周側トーションスプリング５３をトランスミッション側から視た図である。
【００４５】
−入力プレート５２−
入力プレート５２は、環状に形成されており、円板部５２ａと、円板部５２ａの外周端に形成されたスプリング収納部５２ｂと、円板部５２ａの内周端にトランスミッション側に延びて形成された支持部５２ｃと、を有している。円板部５２ａには、前述のように、クラッチ出力部材３６がリベット４１により固定されている。スプリング収納部５２ｂは、断面Ｃ形状であり、トーションスプリング５３の内周側、フロントカバー２側の側部、及び外周側を支持している。また、スプリング収納部５２ｂの円周方向の両端には、トーションスプリング５３の端面に係合する係合部５２ｅが形成されている。
【００４６】
−外周側トーションスプリング５３−
外周側トーションスプリング５３は、入力プレート５２のスプリング収納部５２ｂに収容されている。ここでは、３個のトーションスプリング５３が設けられており、各トーションスプリング５３は、自由状態で円弧形状となるアークスプリングである。すなわち、各トーションスプリング５３は、スプリング収納部５２ｂに収容されていない自由状態においても、図５で示すように円弧形状を維持している。
【００４７】
なお、外周側トーションスプリング５３としてアークスプリングを採用することにより、作動時においてヒステリシストルク（スプリング収納部５２ｂの外周側部分との摺動抵抗）が比較的大きくなるが、円周方向に長く形成でき、低剛性化を実現することが可能である。
【００４８】
−中間部材５４−
図４に示すように、中間部材５４は、第１プレート６１と第２プレート６２とから構成されており、入力プレート５２及びハブフランジ３０に対して相対回転自在である。第１及び第２プレート６１，６２は入力プレート５２とタービンシェル１５との間に配置された環状かつ円板状の部材である。第１プレート６１と第２プレート６２とは軸方向に間隔をあけて配置されている。第１プレート６１がエンジン側に配置され、第２プレート６２がトランスミッション側に配置されている。第１プレート６１と第２プレート６２とは、図１及び図２に示すように、外周部が複数のリベット６３によって互いに相対回転不能でかつ軸方向に移動不能に連結されている。
【００４９】
図６は、中間部材５４及び内周側トーションスプリング５５に関連する部分を抽出して示した図である。図６に示すように、第１プレート６１及び第２プレート６２には、それぞれ軸方向に貫通する窓部６１ａ，６２ａが形成されている。窓部６１ａ，６２ａは、円周方向に延びて形成されており、内周部と外周部には、軸方向に切り起こされた切り起こし部が形成されている。
【００５０】
また、図４に示すように、第１プレート６１の外周端には、外周側トーションスプリング５３にまで延びる複数の係止部６１ｂが形成されている。複数の係止部６１ｂは第１プレート６１の先端を軸方向エンジン側に折り曲げて形成されたものである。この複数の係止部６１ｂは、円周方向に所定の間隔をあけて配置されており、２つの係止部６１ｂの間に１個の外周側トーションスプリング５３が配置されている。
【００５１】
以上のような中間部材５４によって、外周側トーションスプリング５３と内周側トーションスプリング５５とを直列的に作用させることが可能となる。
【００５２】
−内周側トーションスプリング５５−
内周側トーションスプリング５５は、中間部材５４の両プレート６１，６２の窓部６１ａ，６２ａ内に配置されている。そして、内周側トーションスプリング５５は窓部６１ａ，６２ａによって円周方向両端及び径方向両側が支持されている。さらに、内周側トーションスプリング５５は窓部６１ａ，６２ａの切り起こし部によって軸方向への飛び出しが規制されている。
【００５３】
−１対のサポートプレート５６−
１対のサポートプレート５６は、複数の内周側トーションスプリング５５のうちの１組２個を直列的に作用させるための部材である。すなわち、この実施形態では、６個の内周側トーションスプリング５５（図９参照）が設けられているが、１対のサポートプレート５６によって、それぞれ１組２個の内周側トーションスプリング５５を直列的に作用させることができる。
【００５４】
１対のサポートプレート５６はハブフランジ３０の軸方向両側に配置されている。具体的には、一方のサポートプレート５６はハブフランジ３０と第１プレート６１との間に配置されている。また、他方のサポートプレート５６はハブフランジ３０と第２プレート６２との間に配置されている。両サポートプレート５６は、図１，２，４に示すように、リベット６５によって軸方向に一定の間隔を維持して互いに相対回転不能に固定されている。そして、両サポートプレート５６は、第１及び第２プレート６１，６２とハブフランジ３０とに対して相対回転自在である。
【００５５】
１対のサポートプレート５６は同形状であり、図７に示すように、環状に形成されている。サポートプレート５６は、円弧状のスプリング収納用の開口５６ａと、開口５６ａの円周方向間に形成された貫通孔５６ｂと、を有している。開口５６ａには２個の内周側トーションスプリング５５が収容される。そして、隣接する２つの開口５６ａに収容された、互いに近い方のスプリング同士を直列的に作用させることが可能である。すなわち、貫通孔５６ｂが形成された部分を挟んで配置された隣接する２つの内周側トーションスプリング５５を直列的に作用させることが可能である。また、貫通孔５６はリベット６５が貫通する。
【００５６】
＜最終ストッパ機構＞
図４及び図５に示すように、入力プレート５２の円板部５２ａには、円弧状のストッパ溝５２ｆが形成されている。このストッパ溝５２ｆは、入力プレート５２に対するハブフランジ３０及び中間部材５４の相対回転角度を規制するための溝である。また、中間部材５４の第１プレート６１の径方向中間部には、エンジン側に切り起こされたストッパ爪６１ｃが形成されている。このストッパ爪６１ｃが入力プレート５２のストッパ溝５２ｆに係合している。
【００５７】
このような構成により、中間部材５４、ダイナミックダンパ装置３１、及びハブフランジ３０は、ストッパ爪６１ｃがストッパ溝５２ｆ内で移動可能な範囲で、入力プレート５２に対して相対回転が可能である。
【００５８】
＜ハブフランジ３０＞
図４及び図６に示すように、ハブフランジ３０は、環状かつ円板状の部材であり、内周部がタービンシェル１５とともにリベット１８によってタービンハブ１７のフランジ１７ａに固定されている。ハブフランジ３０は、１対のサポートプレート５６の間に、サポートプレート５６と第１及び第２プレート６１，６２とに対して相対回転可能に配置されている。ハブフランジ３０の外周部には、第１及び第２プレート６１，６２の窓部６１ａ，６２ａに対応して、窓孔３０ａが形成されている。窓孔３０ａは軸方向に貫通する孔であり、この窓孔３０ａに内周側トーションスプリング５５が配置されている。
【００５９】
図４に示すように、ハブフランジ３０の内周部には、エンジン側に切り起こされて軸方向に延びる複数の突起部３０ｂが形成されている。この突起部３０ｂの外周面に中間部材５４の第１プレート６１の内周端面が当接している。このように、ハブフランジ３０の突起部３０ｂによって、中間部材５４及びダイナミックダンパ装置３１が径方向に位置決めされている。
【００６０】
＜１段目ストッパ機構＞
図８は中間部材５４及びハブフランジ３０に関連する部分を抽出して示した図であり、他の図とは異なる位置で断面している。また、図９は中間部材５４、内周側トーションスプリング５５、及びハブフランジ３０に関連する部分を、トランスミッション側から視た図である。
【００６１】
これらの図に示すように、中間部材５４の第２プレート６２の径方向中間部には、外周側にいくにしたがって第１プレート６１に近づく傾斜部６２ｂが形成されている。この傾斜部６２ｂには、円弧状のストッパ溝６２ｃが形成されている。また、ハブフランジ３０の外周部には、外周側に延びる複数のストッパ爪３０ｃが形成されている。このストッパ爪３０ｃが第２プレート６２のストッパ溝６２ｃに係合している。
【００６２】
このような構成により、中間部材５４及びダイナミックダンパ装置３１は、ストッパ爪３０ｃがストッパ溝６２ｃ内で移動可能な範囲で、ハブフランジ３０に対して相対回転が可能である。なお、この場合の相対回転可能な角度範囲は、最終段のストッパ機構（ストッパ爪６１ｃ＋ストッパ溝５２ｆ）による相対回転可能な角度範囲より小さく設定されている。
【００６３】
−規制プレート６７−
図４に示すように、タービンハブ１７のフランジ１７ａには、タービンシェル１５及びハブフランジ３０とともに規制プレート６７がリベット１８により固定されている。規制プレート６７は、フランジ１７ａに固定された固定部６７ａと、固定部６７ａからエンジン側に延びる筒状部６７ｂと、筒状部６７ｂの先端から外周側に延びる係合部６７ｃと、を有している。筒状部６７ｂの外周面には入力プレート５２の支持部５２ｃが当接している。また、係合部６７ｃは入力プレート５２の円板部５２ａの内周端部にエンジン側から当接している。なお、入力プレート５２の支持部５２ｃの先端はハブフランジ３０に当接可能である。
【００６４】
以上のように、入力プレート５２及び外周側トーションスプリング５３は、規制プレート６７の筒状部６７ｂにより径方向に位置決めされ、係合部６７ｃ及びハブフランジ３０によって軸方向に位置決めされている。
【００６５】
＜ダイナミックダンパ装置３１＞
ダイナミックダンパ装置３１は、図４及び図８に示すように、中間部材５４の第２プレート６２の外周延長部であるダンパプレート７１と、１対のイナーシャリング７２と、第１蓋部材（第１プレート）７３と、第２蓋部材（第２プレート）７４と、複数のコイルスプリング７５と、ストップピン７６と、を有している。
【００６６】
−ダンパプレート７１−
ダンパプレート７１は、前述のように、中間部材５４を構成する第２プレート６２の外周部によって形成されている。すなわち、ダンパプレート７１は第２プレート６２と一体に形成されている。ダンパプレート７１は、図９に示すように、円周方向に所定の間隔で、複数のスプリング収納部７１ａ（第１開口）を有している。スプリング収納部７１ａは円周方向に所定の長さを有している。複数のスプリング収納部７１ａの円周方向間には、複数の長孔７１ｂが形成されている。長孔７１ｂは、円周方向に所定の長さを有し、スプリング収納部７１ａと同じ円周上に形成されている。
【００６７】
−イナーシャリング７２−
１対のイナーシャリング７２は、板金部材をプレス加工して形成されたものであり、ダンパプレート７１の軸方向両側に配置されている。２つのイナーシャリング７２は同様の構成である。イナーシャリング７２は、図１０に示すように、円周方向に所定の間隔で複数のスプリング収納部７２ａ（第２開口）を有している。このスプリング収納部７２ａはダンパプレート７１のスプリング収納部７１ａに対応する位置に形成されている。また、イナーシャリング７２は、ダンパプレート７１の長孔７１ｂの円周方向中央位置に対応する位置に貫通孔７２ｂを有している。
【００６８】
−第１蓋部材７３−
第１蓋部材７３はエンジン側のイナーシャリング７２のさらにエンジン側に配置されている。第１蓋部材７３は、環状の部材であり、内径はイナーシャリング７２の内径より小さい。すなわち、第１蓋部材７３の内周端はイナーシャリング７２の内周端よりさらに内周側に延びている。図１１に拡大して示すように、第１蓋部材７３には、イナーシャリング７２の貫通孔７２ｂに対応する位置に貫通孔７３ｂが形成されている。また、貫通孔７３ｂの軸方向外側の端部には、貫通孔７３ｂより大径のかしめ用凹部７３ｃが形成されている。
【００６９】
−第２蓋部材７４−
第２蓋部材７４はトランスミッション側のイナーシャリング７２のさらにトランスミッション側に配置されている。第２蓋部材７４は、環状の部材であり、内径はイナーシャリング７２及び第１蓋部材７３の内径より大きく、イナーシャリング７２や第１蓋部材７３の軸方向厚みよりも厚い。この第２蓋部材７４の形状（内径及び厚みの設定）は、タービンシェル１５との干渉を避け、しかも慣性量を大きくするためである。第２蓋部材７４には、イナーシャリング７２の貫通孔７２ｂに対応する位置に貫通孔７４ｂが形成されている。また、貫通孔７４の軸方向外側の端部には、貫通孔７４より大径のかしめ用凹部７４ｃが形成されている。凹部７４ｃは、図９及び図１１から明らかなように、内径側に開放している。
【００７０】
−コイルスプリング７５−
複数のコイルスプリング７５は、それぞれダンパプレート７１のスプリング収納部７１ａ及びイナーシャリング７２のスプリング収納部７２ａに収納されている。そして、コイルスプリング７５の両端部はダンパプレート７１及びイナーシャリング７２のスプリング収納部７１ａ，７２ａの円周方向端部に当接している。
【００７１】
−ストップピン７６−
ストップピン７６は、図１１に示すように、軸方向の中央部に大径胴部７６ａを有し、その両側に小径胴部７６ｂを有している。
【００７２】
大径胴部７６ａは、イナーシャリング７２の貫通孔７２ｂより大径で、かつダンパプレート７１の長孔７１ｂの径（径方向寸法）よりも小径である。また、大径胴部７６ａの厚みは、ダンパプレート７１の厚みより若干厚く形成されている。
【００７３】
小径胴部７６ｂはイナーシャリング７２の貫通孔７２ｂ及び両蓋部材７３，７４の貫通孔７３ｂ，７４ｂを挿通している。そして、小径胴部７６ｂの頭部をかしめることによって、ダンパプレート７１の軸方向両側にイナーシャリング７２及び両蓋部材７３，７４が固定されている。
【００７４】
以上のような構成により、ダンパプレート７１とイナーシャリング７１及び２つの蓋部材７３，７４とは、ストップピン７６がダンパプレート７１の長孔７１ｂで移動し得る範囲で相対回転が可能である。そして、ストップピン７６の大径胴部７６ａが長孔７１ｂの端部に当接することによって、両者の相対回転が禁止される。
【００７５】
−慣性量について−
本実施形態のダイナミックダンパ装置３１の慣性量、すなわち１対のイナーシャリング７２及び２つの蓋部材７３，７４（この実施形態では、１対のイナーシャリング７２と２つの蓋部材７３，７４とが「イナーシャ部材」として機能している）を合わせた慣性量は、中間部材５４の慣性量の１．９倍に設定している。この割合は、全体の寸法を大型化することなく効果的な振動低減効果を得るためには、０．５倍以上４．０倍以下が望ましい。
【００７６】
また、本実施形態のダイナミックダンパ装置３１の慣性量は、ハブフランジ３０の慣性量の２．１倍に設定している。この割合は、全体の寸法を大型化することなく効果的な振動低減効果を得るためには、０．５倍以上４．０倍以下が望ましい。
【００７７】
［動作］
まず、トルクコンバータ本体の動作について簡単に説明する。フロントカバー２及びインペラ３が回転している状態では、インペラ３からタービン４へ作動油が流れ、作動油を介してインペラ３からタービン４へトルクが伝達される。タービン４に伝達されたトルクはタービンハブ１７を介してトランスミッションの入力シャフト（図示せず）に伝達される。
【００７８】
次にピストン４０とフロントカバー２との間に作動油が供給されると、ピストン４０がトランスミッション側に移動させられる。この結果、ピストン４０によって第１及び第２クラッチプレート３７，３８が互いに押圧され、クラッチ部２８はオンになる。
【００７９】
以上のようなクラッチオン状態では、トルクは、クラッチ入力部材３５→第１及び第２クラッチプレート３７，３８→クラッチ出力部材３６→入力プレート５２→外周側トーションスプリング５３→中間部材５４→内周側トーションスプリング５５→ハブフランジ３０の経路で伝達され、タービンハブ１７に出力される。
【００８０】
ロックアップ装置７においては、トルクを伝達すると共にフロントカバー２から入力されるトルク変動を吸収・減衰する。具体的には、ロックアップ装置７において捩り振動が発生すると、外周側トーションスプリング５３と内周側トーションスプリング５５とが入力プレート５２とハブフランジ３０との間で直列に圧縮される。
【００８１】
ここで、伝達トルクが低い領域では、外周側トーションスプリング５３及び内周側トーションスプリング５５が圧縮されて、入力プレート５２とハブフランジ３０とが相対回転するとともに、中間部材５４とハブフランジ３０とが相対回転する。ここでは、図１２に示すように、ダンパ機構２９は低剛性のねじり特性を示す。
【００８２】
そして、入力プレート５２とハブフランジ３０との相対回転角度が大きくなると、１段目のストッパ機構によって両者の相対回転は禁止される。すなわち、図１２に示すように、伝達トルク（ねじりトルク）がＴ１になり、入力プレート５２とハブフランジ３０との相対回転角度がθ１になった状態では、ハブフランジ３０のストッパ爪３０ｃが第２プレート６２のストッパ溝６２ｃの端面に当接している。すなわち、ロックアップ装置全体のねじり角度がθ１の状態では、中間部材５４とハブフランジ３０の相対回転は禁止されている。
【００８３】
この状態では、図１２に示すように、内周側トーションスプリング５５は角度θＡだけ圧縮されている。また、同様に、装置全体のねじり角度がθ１の範囲（内周側トーションスプリング５５が角度θＡだけ圧縮される範囲）では、外周側トーションスプリング５３は角度θＢだけ圧縮されている。
【００８４】
そして、入力プレート５２とハブフランジ３０との相対角度（ねじり角度）がθ１を超えると、中間部材５４、ダイナミックダンパ装置３１、及びハブフランジ３０は一体となって回転する。
【００８５】
伝達トルクがＴ１以上の領域では、外周側トーションスプリング５３のみが圧縮され、ダンパ機構２９は、ねじり角度θ１までの特性よりは高剛性のねじり特性を示す。そして、伝達トルクがＴ２になって、入力プレート５２と中間部材５４との相対回転角度がθ２になると、最終ストッパ機構によって両者の相対回転は禁止される。すなわち、ねじり角度がθ２になると、第１プレート６１のストッパ爪６１ｃが入力プレート５２のストッパ溝５２ｆの端面に当接し、中間部材５４及びハブフランジ３０と入力プレート５２との相対回転が禁止される。
【００８６】
［ダイナミックダンパ装置の動作］
中間部材５４に伝達されたトルクは、内周側トーションスプリング５５を介してハブフランジ３０に伝達され、さらにタービンハブ１７を介してトランスミッション側の部材に伝達される。このとき、中間部材５４にはダイナミックダンパ装置３１が設けられているので、エンジンの回転速度変動を効果的に抑制することができる。すなわち、ダンパプレート７１の回転と、イナーシャリング７２及び２つの蓋部材７３，７４と、の回転は、コイルスプリング７５の作用によって位相にズレが生じる。具体的には、所定のエンジン回転数においてイナーシャリング７２及び蓋部材７３，７４はダンパプレート７１の回転速度変動を打ち消す位相で変動する。この位相のズレによって、トランスミッションの回転速度変動を吸収することができる。
【００８７】
また、本実施形態では、ダイナミックダンパ装置３１を中間部材５４に固定し、ダイナミックダンパ装置３１とタービンハブ１７との間に振動を抑えるための内周側トーションスプリング５５を配置している。この内周側トーションスプリング５５の作用によって、低トルク領域（図１２に示すねじりトルクＴ１＝ねじり角度θ１までの領域）では、図１３に示すように、より効果的に回転速度変動を抑えることができる。図１３において、特性Ｃ１は、従来のロックアップ装置における回転速度変動を示している。特性Ｃ２はダイナミックダンパ装置をタービンハブに装着し、ダイナミックダンパ装置の出力側に弾性部材（トーションスプリング）がない場合の変動を示している。また、特性Ｃ３は本実施形態のように、ダイナミックダンパ装置を中間部材に装着し、ダイナミックダンパ装置の出力側に弾性部材（内周側トーションスプリング５５）を設けた場合の変動を示している。
【００８８】
図１３の特性Ｃ２と特性Ｃ３とを比較して明らかなように、ダイナミックダンパ装置の出力側に弾性部材を設けた場合は、回転速度変動のピークが低くなり、かつエンジン回転数の常用域においても回転速度変動が抑えることができる。すなわち、本実施形態では、ねじりトルクＴ１までの低トルク領域では、回転速度変動を効果的に抑えることができる。
【００８９】
［特徴］
（１）フロントカバー２側の第１蓋部材７３は小さい内径を有している。すなわち、径方向の幅が比較的大きい。したがって、第１蓋部材７３の慣性量を大きくすることができる。
【００９０】
（２）トルクコンバータ本体６側の第２蓋部材７４は大きい内径を有する。このため、タービン４との干渉を避けて、軸方向寸法の短縮化を図ることができる。また、軸方向の厚みを厚く形成しているので、内径が大きいにもかかわらず慣性量を大きく確保することができる。
【００９１】
（３）１対のイナーシャリング７２をダンパプレート５２の両側に配置してダイナミックダンパ装置３１を構成しているので、１対のイナーシャリング７２をプレート部材で形成することができる。したがって、イナーシャリングを鋳造品や鍛造品で形成する場合に比較して製造コストを抑えることができる。
【００９２】
（４）第１及び第２蓋部材７３，７４によってコイルスプリング７５がイナーシャリング７２のスプリング収納部７２ａから飛び出るのを禁止している。このため、イナーシャリング７２にコイルスプリング７５の飛び出しを規制するための突起等を設ける必要がない。また、２つの蓋部材７３，７４をイナーシャとして利用することができる。
【００９３】
（５）ダンパプレート７１及びイナーシャリング７２の内部にコイルスプリング７５を収容しているので、特に、軸方向におけるダイナミックダンパ装置３１の占有スペースをコンパクトにすることができる。
【００９４】
（６）イナーシャリング７２を軸方向に分割しているので、ダンパプレート７１の差し込み、及びコイルスプリング７５の組付が容易になる。
【００９５】
（７）中間部材５４にダイナミックダンパ装置３１を装着し、ダイナミックダンパ装置３１の出力側に内周側トーションスプリング５５を設けているので、より効果的に回転速度変動を抑えることができる。
【００９６】
［他の実施形態］
本発明は以上のような実施形態に限定されるものではなく、本発明の範囲を逸脱することなく種々の変形又は修正が可能である。
【００９７】
（ａ）第１及び第２蓋部材の別の実施形態を図１４に示している。この実施形態の蓋部材８１，８２は、外周端部が軸方向外側に折り曲げられている。具体的には、第１蓋部材８１の外周端部は、エンジン側に折り曲げられ、第２蓋部材８２はトランスミッション側に折り曲げられ、それぞれ突出部８１ａ，８２ａが形成されている。このような構成では、各蓋部材８１，８２の慣性量をより大きくすることができる。
【００９８】
なお、各蓋部材の外周部の軸方向の厚みを、他の部分よりも厚く形成することによって慣性量を大きくするようにしてもよい。
【００９９】
（ｂ）前記実施形態では、第２蓋部材７４と第１蓋部材７３の形状を変えたが、イナーシャリングの形状を変えてもよい。具体的には、タービン側のイナーシャリングの内径をフロントカバー側のイナーシャリングの内径より大きくし、タービン側のイナーシャリングの厚みをフロントカバー側のイナーシャリングの厚みより厚くしてもよい。特に、イナーシャ部材として、蓋部材がなくイナーシャリングのみが設けられるような装置の場合は、このような構成によって前記実施形態と同様の作用効果を得ることができる。
【０１００】
（ｃ）前記実施形態では、イナーシャ部材が１対のイナーシャリング７２と２つの蓋部材７３，７４とで構成されている場合について説明したが、イナーシャ部材の構成はこれに限定されない。例えば、蓋部材のないイナーシャリングのみで構成されている場合であってもよい。この場合も、イナーシャリングの慣性量は、中間部材５４の慣性量の０．５倍以上４．０倍以下が望ましい。また、同様に、イナーシャリングの慣性量は、ハブフランジ３０の慣性量の０．５倍以上４．０倍以下が望ましい。
【０１０１】
（ｄ）前記実施形態では、１対のイナーシャリングの形状を同じにしたが、蓋部材と併せて別の形状にしたり、径や軸方向厚みを別寸法にしたりしてもよい。
【０１０２】
（ｅ）前記実施形態では、ダンパプレートを中間部材の第２プレートの外周部に形成したが、ダンパプレートを別部材として設けてもよい。
【０１０３】
（ｆ）前記実施形態では、クラッチ部を多板型のクラッチとしたが、クラッチ部の構成はこれに限定されない。
【符号の説明】
【０１０４】
１  トルクコンバータ
２  フロントカバー
４  タービン
６  トルクコンバータ本体
７  ロックアップ装置
２８  クラッチ部
２９  ダンパ機構
３０  ハブフランジ
３１  ダイナミックダンパ装置
５３  外周側トーションスプリング
５４  中間部材
５５  内周側トーションスプリング
６１  第１プレート
６２  第２プレート
７１  ダンパプレート
７１ａ  スプリング収納部（第１開口）
７２  イナーシャリング
７２ａ  スプリング収納部（第２開口）
７３，８１  第１蓋部材
７４，８２  第２蓋部材
７５  コイルスプリング（ダイナミック用弾性部材）
８１ａ，８２ａ  突出部
【図１】
2015098931.tif 000003
【図２】
2015098931.tif 000004
【図３】
2015098931.tif 000005
【図４】
2015098931.tif 000006
【図５】
2015098931.tif 000007
【図６】
2015098931.tif 000008
【図７】
2015098931.tif 000009
【図８】
2015098931.tif 000010
【図９】
2015098931.tif 000011
【図１０】
2015098931.tif 000012
【図１１】
2015098931.tif 000013
【図１２】
2015098931.tif 000014
【図１３】
2015098931.tif 000015
【図１４】
2015098931.tif 000016